(57)【要約】  照明環境１０２に応答し環境信号１１２を生成する照明状態レコーダ１０４と、環境信号１１２に応答しランプ制御信号１１４を生成する照明シミュレータ１０６と、ランプ制御信号１１４に応答し模擬照明環境１１０を生成するランプシステム１０８と、を含む照明状態記録システム及び方法。【選択図】図１
2008535155.tif 000002
【特許請求の範囲】
【請求項１】
照明状態記録システムであって、
照明環境に応答し環境信号を生成する照明状態レコーダと、
環境信号に応答しランプ制御信号を生成する照明シミュレータと、
ランプ制御信号に応答し模擬照明環境を生成するランプシステムと、を備えた照明状態記録システム。
【請求項２】
照明状態レコーダは、携帯電話，個人用デジタル補助端末（ＰＤＡ），デジタルカメラ，照度計及びノートブックコンピュータからなるグループから選択される、請求項１に記載の照明状態記録システム。
【請求項３】
照明状態レコーダは、光学センサ，信号インターフェース，光検出器及び色センサからなるグループから選択された環境インターフェースを有する、請求項１に記載の照明状態記録システム。
【請求項４】
照明状態レコーダは、照明シミュレータと連結可能なレコーダインターフェースを有する、請求項１に記載の照明状態記録システム。
【請求項５】
照明状態レコーダは、無線のレコーダインターフェースを有する、請求項１に記載の照明状態記録システム。
【請求項６】
照明シミュレータは、ユーザインターフェースを有する、請求項１に記載の照明状態記録システム。
【請求項７】
ユーザインターフェースは、リニアスライダ，半径円スライダ，拡張円形スライダ，境界円形スライダからなるグループから選択される、請求項６に記載の照明状態記録システム。
【請求項８】
照明状態レコーダは、リニアスライダ，半径円スライダ，拡張円形スライダ，境界円形スライダからなるグループから選択された照明混合ユーザインターフェースを有する、請求項１に記載の照明状態記録システム。
【請求項９】
ランプシステムは、ディスプレイミラーである、請求項１に記載の照明状態記録システム。
【請求項１０】
ディスプレイミラーは、タッチセンサー式のユーザインターフェースを有する、請求項９に記載の照明状態記録システム。
【請求項１１】
照明システムの制御方法であって、
照明環境を記録する工程と、
記録した照明環境に対応する照明設定を取得する工程と、
照明設定に応答して模擬照明環境を生成する工程と、を備えた照明システムの制御方法。
【請求項１２】
記録工程は、写真を撮影する工程を有する、請求項１１に記載の方法。
【請求項１３】
取得工程は、写真を分析する工程を有する、請求項１２に記載の方法。
【請求項１４】
さらに、撮影に応答して写真を照明設定に関連付ける工程を備えた、請求項１２に記載の方法。
【請求項１５】
取得工程は、照明環境を作り出す照明システムから照明設定をアップロードする工程を備えた、請求項１１に記載の方法。
【請求項１６】
取得工程は、照明設定記憶装置から照明設定をアップロードする工程を備えた、請求項１１に記載の方法。
【請求項１７】
記録工程は、照明設定と関連付けられたシンボルをアップロードする工程を備えた、請求項１６に記載の方法。
【請求項１８】
さらに、照明設定を保存する工程と、保存した照明設定にシンボルを関連付ける工程と、を備えた、請求項１１に記載の方法。
【請求項１９】
シンボルは、写真，グラフィックイメージ，図面，アイコン，タイトル及びこれらの組合せからなるグループから選択される、請求項１８に記載の方法。
【請求項２０】
記録工程は、照明強度及び照明色情報からなるグループから選択された照明パラメータを記録する工程を有する、請求項１１に記載の方法。
【請求項２１】
さらに、ユーザの好みのため照明設定を調節する工程を備えた、請求項１１に記載の方法。
【請求項２２】
照明状態記録システムであって、
照明環境を記録する手段と、
記録した照明環境に対応する照明設定を取得する手段と、
照明設定に応答して模擬照明環境を生成する手段と、を備えた照明状態記録システム。
【請求項２３】
記録手段は、写真を撮影する手段を有する、請求項２２に記載のシステム。
【請求項２４】
取得手段は、写真を分析する手段を有する、請求項２３に記載のシステム。
【請求項２５】
取得手段は、照明環境を作り出す照明システムから照明設定をアップロードする手段を有する、請求項２２に記載のシステム。
【請求項２６】
取得手段は、照明設定を保存する手段から照明設定をアップロードする手段を有する、請求項２２に記載のシステム。
【請求項２７】
さらに、照明設定を保存する手段と、保存した照明設定にシンボルを関連付ける手段と、を備えた、請求項２２に記載のシステム。
【請求項２８】
シンボルは、写真，グラフィックイメージ，図面，アイコン，タイトル及びこれらの組合せからなるグループから選択される、請求項２７に記載のシステム。
【請求項２９】
記録手段は、照明強度及び照明色情報からなるグループから選択された照明パラメータを記録する手段を有する、請求項２２に記載のシステム。
【請求項３０】
さらに、ユーザの好みのため照明設定を調節する手段を備えた、請求項２２に記載のシステム。
【請求項３１】
照明混合ユーザインターフェースであって、
第１の照明設定と、
複数の照明設定の中から選択された第２の照明設定と、
第１の照明設定と第２の照明設定を連結するスライダ経路と、
スライダ経路を移動可能なスライダと、を備え、
第１の照明設定と第２の照明設定に対するスライダの位置が、調節された照明設定を生成する照明混合ユーザインターフェース。
【請求項３２】
スライダ経路は、リニア経路，半径経路及び円内部からなるグループから選択される、請求項３１に記載のユーザインターフェース。
【請求項３３】
さらに、回転可能な経路を有し、
この回転可能な経路は、円の中心の第１端部と、円の円周の外側の第２端部と、を有し、
スライダ経路は円の円周であり、スライダは回転可能な経路と円周との交点である、請求項３１に記載のユーザインターフェース。
【請求項３４】
さらに、回転可能な経路で移動可能な第２のスライダを備え、
第１端部及び第２端部に対する第２のスライダの位置が、調節された照明設定を修正する、請求項３３に記載のユーザインターフェース。
【請求項３５】
照明状態記録システムであって、
照明環境に応答し環境信号を生成する照明状態レコーダと、
環境信号に応答しランプ制御信号を生成する照明コントローラと、
ランプ制御信号に応答し第２の照明環境を生成するランプシステムと、を備えた照明状態記録システム。
【請求項３６】
前記第２の照明環境は、前記照明環境と実質的に等しい、請求項３５に記載の照明状態記録システム。
【請求項３７】
照明状態レコーダは、携帯電話及び個人用デジタル補助端末（ＰＤＡ）からなるグループから選択される、請求項３５に記載の照明状態記録システム。
【請求項３８】
照明システムの制御方法であって、
照明状態レコーダを準備する工程と、
照明環境に対応する照明設定を照明状態レコーダに保存する工程と、
保存した照明設定に応答して第２の照明環境を生成する工程と、を備えた照明システム制御方法。
【請求項３９】
前記第２の照明環境は、前記照明環境に実質的に等しい、請求項３８に記載の方法。
【請求項４０】
照明状態レコーダは、照明環境を制御し、
保存工程は、照明環境を制御するために、照明状態レコーダにより使用された照明設定を保存する工程を有する、請求項３８に記載の方法。
【請求項４１】
保存工程は、照明環境を生成する照明システムからの照明設定を保存する工程を有する、請求項３８に記載の方法。
【請求項４２】
さらに、照明状態レコーダで照明環境の写真を撮影する工程と、
照明状態レコーダで写真を分析し照明設定を生成する工程と、を備えた請求項３８に記載の方法。
【発明の詳細な説明】
【技術分野】
【０００１】
本発明は、一般に照明システムコントローラに係り、特に照明状態レコーダで照明システムを制御するためのシステム及び方法に関する。
【背景技術】
【０００２】
照明システムは、一般に機能によりタスク照明とアンビエント照明に分類される。タスク照明は、読書したりやメーキャップを施したりするような特定のタスクの必要性に合致するように設計される。アンビエント照明は、ある領域の全体的な環境又は雰囲気を提供するように設計される。タスク照明とアンビエント照明との間で切換えを行うとき問題が生じる。典型的には、一人で読書するための照明からパーティのための照明に切換えるときのように一方から他方へ変化させるとき、多くのランプを個々に切換えなければならない。ユーザは、適切な照明設定を記憶し、且つ、多くの調節を行わなくてはならない。リモート制御を採用した高性能な照明システムであっても、ユーザは、専用のリモートコントロールを配置しなければならないが、これはしばしば紛失したり置き間違えられたりする。
【０００３】
正確なタスク照明は、着衣したりメーキャップしたりするようなある活動に重要である。典型的には、ミラー付きの着衣領域は、あったとしても限られた照明制御を有する。せいぜい、ユーザは照明を暗くすることができる。強度，色温度及びスペクトル分布のような照明パラメータが、人々の肌のトーン，施されたメーキャップ及び服装の色の組合せの視覚認知に影響を与えるということが問題である。パステルメーキャップは暗い照明下では目立たない。これは何故「夜用のメーキャップ」が通常明るい色でなされるかの理由の一つである。着衣領域又はメーキャップミラーでの異なる照明状態をシミュレートすることの不可能さは、しばしば問題につながる：家では見栄えが良かった選択した色の組合せが、しばしばディスコ又はオフィスで不快感を与える。ユーザが行こうとする場所の照明状態をシミュレートすることの不可能さの他の問題は、ユーザが目的地の気分になることができないことである。適切な音楽及び香りと組合せた適切な照明なしに、ユーザは、起こる出来事の環境を再現し、物理的及び精神的に準備することができない。
【０００４】
上記不都合を克服する照明状態記録システム及び方法を有することが望ましい。
【発明の開示】
【０００５】
本発明の一態様は、照明環境に応答し環境信号を生成する照明状態レコーダと、環境信号に応答しランプ制御信号を生成する照明シミュレータと、ランプ制御信号に応答し模擬照明環境を生成するランプシステムと、を含む照明状態記録システムを提供する。
【０００６】
本発明の他の態様は、照明環境を記録する工程と、記録した照明環境に対応する照明設定を取得する工程と、照明設定に応答して模擬照明環境を生成する工程と、を含む照明システムの制御方法を提供する。
【０００７】
本発明の他の態様は、照明環境を記録する手段と、記録した照明環境に対応する照明設定を取得する手段と、照明設定に応答して模擬照明環境を生成する手段と、を含む照明状態記録システムを提供する。
【０００８】
本発明の他の態様は、第１の照明設定と、複数の照明設定の中から選択された第２の照明設定と、第１の照明設定と第２の照明設定を連結するスライダ経路と、スライダ経路を移動可能なスライダと、を含む照明混合ユーザインターフェースを提供する。第１の照明設定と第２の照明設定に対するスライダの位置は、調節された照明設定を生成する。
【０００９】
本発明の他の態様は、照明環境に応答し環境信号を生成する照明状態レコーダと、環境信号に応答しランプ制御信号を生成する照明コントローラと、ランプ制御信号に応答し第２の照明環境を生成するランプシステムと、を含む照明状態記録システムを提供する。
【００１０】
本発明の他の態様は、照明状態レコーダを準備する工程と、照明環境に対応する照明設定を照明状態レコーダに保存する工程と、保存した照明設定に応答して第２の照明環境を生成する工程と、を含む照明システム制御方法を提供する。
【００１１】
本発明の上述及び他の特徴，利点は、現在の好ましい実施形態の以下の詳細な説明，添付図面と合わせた読みからさらに明らかとなるであろう。詳細な説明及び図面は、特許請求の範囲及びその均等の範囲により規定される本発明の範囲を制限するよりも、単に本発明を説明するに過ぎない。
【００１２】
本発明の種々の実施形態が、添付図面により説明される。
【発明を実施するための最良の形態】
【００１３】
図１は、本発明により構成された照明状態記録システムのブロック図である。照明状態記録システム１００は、ユーザが照明環境１０２を記録し、且つ、模擬（又はシミュレートされた）照明環境１１０を生成することを可能とする。照明状態記録システム１００は、照明環境１０２に応答し環境信号１１２を生成する照明状態レコーダ１０４と、環境信号１１２に応答しランプ制御信号１１４を生成する照明シミュレータ１０６と、ランプ制御信号１１４に応答し模擬照明環境１１０を生成するランプシステム１０８と、を含む。種々の実施形態において、１つ又は多くの照明設定を、照明状態レコーダ１０４，照明シミュレータ１０６，及び／又はランプシステム１０８に保存することができる。これにより、ユーザがランプシステム１０８で使用するための照明設定を選択し、及び／又は、照明設定を混合して、調整された照明設定を生成するのに便利である。
【００１４】
照明環境１０２は、ユーザが模擬照明環境１１０を生成するのに使用したい任意の照明環境とすることができる。照明環境１０２は、種々の照明状態下の種々の場所であってよい。場所の例は、屋外，屋内，オフィス，ディスコ，家，居間，寝室，ダイニングルーム等を含む。照明状態の例は、明るい昼光，曇り，人工光，白熱灯，蛍光灯，自然光との組み合わせの人工光，対話照明，パーティ照明，読書照明，作業（タスク）照明等を含む。室内で、単一型又は混合型の１つ又は多くのランプが、照明環境１０２を生成してもよい。
【００１５】
ランプシステム１０８により生成された模擬照明環境１１０は、ランプ制御信号１１４を生成するのに使用される照明設定を反映する任意の照明とすることができる。模擬照明環境１１０の模擬照明の例は、ショップ照明，ホーム照明，パーティ照明，読書照明，作業照明，又は他の任意の所望の照明である。照明設定にしたがって強度，色，方向及び／又はビーム幅が調節された、ランプシステム１０８の１つ又はそれ以上のランプ１６０は、模擬照明環境１１０を生成する。また、ランプシステム１０８は、特定の照明効果を発生させるのに望ましいように、レンズ，レフレクタ，フィルタ，駆動モータ等を含む。
【００１６】
照明状態レコーダ１０４は、環境インターフェース１２０を介して照明環境１０２を記録し、レコーダインターフェース１２２を介して環境信号１１２を照明シミュレータ１０６に提供する。レコーダインターフェース１２２は、有線，及びドックステーションやクレイドル等のような連結（ドック）可能なものであり、又は、ブルートゥース（登録商標），Ｚｉｇｂｅｅ（登録商標），デジタル・アドレッサブル・ライティング・インターフェース（ＤＡＬＩ：登録商標），ワイヤレスＬＡＮインターフェース等のような無線である。照明状態レコーダ１０４は、それぞれ環境インターフェース１２０からの入力を処理及び保存するためのレコーダプロセッサ１２４及びレコーダ記憶装置１２６を含む。レコーダ記憶装置１２６は、ソリッドステートメモリ，光学式ドライブ，磁気式ドライブ等のような、データ及び／又はインストラクションを保存するために適した任意な記憶装置とすることができる。種々の実施形態では、照明状態レコーダ１０４は、特定の適用のために要求されるような、シンボル１３４を表示するためのディスプレイ１２８，ユーザ入力装置１３０，通信インターフェース１３２等を含んでいてよい。一実施形態では、ディスプレイ１２８及びユーザ入力装置１３０は、照明設定を選択及び／又は混合するためのユーザインターフェースとして使用することができる。照明状態レコーダ１０４は、専用装置としてもよいし、携帯電話，個人用デジタル補助端末（ＰＤＡ），デジタルカメラ，照度計，ノートブックコンピュータ等のような既存携帯装置に適用してもよい。また、照明状態レコーダ１０４は、リアルタイムで模擬照明環境１１０を制御するために環境信号１１２内にコマンドを含む。
【００１７】
一実施形態では、環境インターフェース１２０は、電荷結合素子（ＣＣＤ）や相補型金属酸化物半導体（ＣＭＯＳ）装置等のようなイメージセンサを有する光学素子のような、光学センサである。照明状態レコーダ１０４は、光学センサで写真を撮ることにより照明環境１０２を記録する。照明状態レコーダ１０４は、液晶ディスプレイ（ＬＣＤ）や有機発光ダイオード（ＯＬＥＤ）ディスプレイ等のようなディスプレイ１２８と、タッチパッドやキーボード等のようなユーザ入力装置１３０とを含んでいてよい。ディスプレイ１２８は、新しい又は保存された写真を表示するのに使用することができる。また、照明状態レコーダ１０４は、照明状態レコーダ１０４を携帯電話網に接続するための通信インターフェース１３２を含んでいてよい。適した装置の一例は、カメラ付きの携帯電話であるが、当業者は多くの装置が可能であることを認識するであろう。
【００１８】
作動中、ユーザは、この場合光学センサである環境インターフェース１２０を介して照明環境１０２の写真を撮るために、照明状態レコーダ１０４のユーザ入力装置１３０を使用する。写真は、ディスプレイ１２８に表示され、レコーダ記憶装置１２６に保存される。一実施形態では、写真は、照明設定の分析及び生成のため、照明状態レコーダ１０４から環境信号１１２内でレコーダインターフェース１２２を通って照明シミュレータ１０６にダウンロードされる。他の実施形態では、写真は、照明強度及び／又は照明色情報についてレコーダプロセッサ１２４で分析され、照明設定が、照明状態レコーダ１０４から環境信号１１２内でレコーダインターフェース１２２を通って照明シミュレータ１０６にダウンロードされる。照明シミュレータ１０６は、照明設定を使用して、ランプシステム１０８から模擬照明環境１１０を生成する。他の実施形態では、照明環境１０２の写真は、環境インターフェース１２０よりもむしろ通信インターフェース１３２を通して受け取られる。
【００１９】
他の作動では、携帯電話のような照明状態レコーダ１０４が、写真を撮影し、照明設定を取得するためにこの写真を分析し、この写真と照明設定を照明状態レコーダ１０４のレコーダ記憶装置１２６に保存するのに使用される。照明状態レコーダ１０４は、ユーザが写真を撮影するときに、この写真を照明設定に関連付けることができる。一実施形態では、照明状態レコーダ１０４は、レコーダ記憶装置１２６に保存された照明設定を選択することにより、ランプシステム１０８からの模擬照明環境１１０を制御するように使用することができる。ユーザは、保存された写真をディスプレイ１２８に表示し、ユーザ入力装置１３０を用いて保存された写真の１つを選択し、選択した写真に関連付けられている保存された照明設定を用いて模擬照明環境１１０を制御することができる。
【００２０】
他の実施形態では、環境インターフェース１２０は、ブルートゥース（登録商標），Ｚｉｇｂｅｅ（登録商標），デジタル・アドレッサブル・ライティング・インターフェース（ＤＡＬＩ：登録商標），ワイヤレスＬＡＮシグナル等の無線信号を受取るためのアンテナのような信号インターフェースである。照明状態レコーダ１０４は、照明環境１０２を生成するランプシステムから，又はアンテナを介して照明設定を保存する任意の照明設定保存装置から照明設定をアップロードすることにより、照明環境１０２を記録する。これにより、ある照明システムから他へ照明設定をコピーすることができる。一実施形態では、環境インターフェース１２０を省略し、レコーダインターフェース１２２を環境インターフェース及びレコーダインターフェースとして使用することができる。照明状態レコーダ１０４は、液晶ディスプレイ（ＬＣＤ）や有機発光ダイオード（ＯＬＥＤ）ディスプレイ等のディスプレイ１２８，及びタッチパッドやキーボード等のユーザ入力装置１３０を含む。一実施形態では、ディスプレイ１２８は、タッチスクリーン式ディスプレイでユーザ入力装置１３０と結合されている。ディスプレイ１２８は、写真，グラフィックイメージ，図面，アイコン，タイトル，これらの組み合わせ等のシンボル１３４を表示するのに使用することができる。シンボル１３４は、対応する照明設定を表すのに使用することができ、また、任意の所望の視覚表示とすることができる。１つの照明設定は、写真，グラフィックイメージ，アイコン等の１つ以上のシンボルで表示することができる。適した装置の一例は、無線機能付きの個人用デジタル補助端末であるが、当業者は多くの装置を使用することができることを理解するであろう。
【００２１】
作動中、ユーザは、照明状態レコーダ１０４のユーザ入力装置１３０を使用して、照明環境１０２の照明設定を、この場合は信号インターフェースである環境インターフェース１２０を介してアップロードする。照明設定は、照明環境１０２を生成するために、照明環境１０２にあるランプシステム（図示せず）により使用される。照明設定は、照明環境１０２を生成するランプシステムから直接に，又は照明設定を保存することができる携帯電話，個人用デジタル補助端末（ＰＤＡ），デジタルカメラ，照度計，ノートブックコンピュータ等の照明設定保存装置から、アップロードすることができる。ユーザは、ディスプレイ１２８上の写真，グラフィックイメージ，図面，アイコン又はタイトル等のシンボル１３４を入力又は選択して照明環境１０２を特定し、照明設定をシンボルに関連付け、照明状態レコーダ１０４のレコーダ記憶装置１２６に照明設定を保存することができる。また、他の実施形態では、シンボル１３４を、照明状態レコーダ１０４にアップロードすることができる。照明設定は、照明状態レコーダ１０４からレコーダインターフェース１２２を介して環境信号１１２内で照明シミュレータ１０６にダウンロードすることができる。照明シミュレータ１０６は、照明設定を使用し、ランプシステム１０８から模擬照明環境１１０を生成する。
【００２２】
他の実施形態では、環境インターフェース１２０は、光検出器（optical power detector）及び／又は色センサである。照明状態レコーダ１０４は、それぞれ光検出器及び／又は色センサにより周囲の照明強度及び／又は照明色情報を読み取ることにより、照明環境１０２を記録する。適した装置の一例は、写真用照度計又は色度計のような専用の照明状態レコーダであるが、当業者は多くの装置が可能であることを認識するであろう。
【００２３】
作動中、ユーザは、照明状態レコーダ１０４で照明強度及び／又は照明色情報のような環境照明パラメータを読み、照明状態レコーダ１０４のレコーダ記憶装置１２６に照明パラメータを照明設定として保存する。照明パラメータは、照明状態レコーダ１０４からレコーダインターフェース１２２を介して環境信号１１２内で照明シミュレータ１０６にダウンロードされる。照明シミュレータ１０６は、照明パラメータを使用して、ランプシステム１０８から模擬照明環境１１０を生成する。
【００２４】
照明シミュレータ１０６は、照明状態レコーダ１０４からシミュレータインターフェース１４０を介して環境信号１１２を受け取り、ランプ制御信号１１４をランプシステム１０８に提供する。ランプ制御信号１１４は、ランプシステム１０８により、模擬照明環境１１０の表示を制御する。シミュレータインターフェース１４０は、レコーダインターフェース１２２と互換性を有し且つ補完的である。照明シミュレータ１０６は、照明状態レコーダ１０４からの照明設定を、それぞれ処理及び保存するためのシミュレータプロセッサ１４２及びシミュレータ記憶装置１４４を含み、ランプシステム１０８に対して出力する。シミュレータ記憶装置１４４は、ソリッドステートメモリ，光学式ドライブ，磁気式ドライブ等の、データ及び／又はインストラクションを保存するのに適した任意の記憶装置であってよい。ユーザは、入力を与え照明シミュレータ１０６から出力を受けるために、ユーザインターフェース１４６を使用することができる。一実施形態では、ユーザインターフェース１４６は、ユーザの好みのため照明設定を調節するのに使用することができる。一実施形態では、ユーザインターフェース１４６は、照明シミュレータ１０６から取外し可能であり、遠隔操作が可能である。他の実施形態では、ユーザインターフェース１４６は、照明シミュレータ１０６に接続された、一般用途のコンピュータのような独立型（stand-alone）装置である。一実施形態では、照明シミュレータ１０６は、ディスプレイミラーの一部のようなランプシステム１０８の一部である。
【００２５】
一実施形態では、照明シミュレータ１０６は、ランプシステム１０８から模擬照明環境１１０を生成するのに使用される照明設定のため、照明状態レコーダ１０４から受取った写真を分析する。ｓＲＧＢのような写真の色空間は、特定の適用への要望に応じて、ｘ，ｙ，Ｙのような照明色空間や、ランプシステム１０８の特定のランプ１６０の色空間に変換される。また、分析は、要望に応じてガンマ補正，輝度補正等の最適化アルゴリズムを適用することができる。分析の一例が、ＷＩＰＯの国際特許公開第２００４／００６５７０号（Diederiks等、発明の名称「環境照明及び照明ユニットを制御するための方法及びシステム」）に記載されており、ここに参照により組み込む。他の実施形態では、分析が、照明シミュレータ１０６に接続された、一般用途のコンピュータのような独立型装置で行われ、これはユーザインターフェース１４６としての役目も果たすことができる。照明設定は、照明シミュレータ１０６のシミュレータ記憶装置１４４に保存される。
【００２６】
図２Ａ−図２Ｄは、本発明により構成された照明状態記憶システムのための照明混合ユーザインターフェースの概略図である。照明状態レコーダ及び／又は照明シミュレータは、ユーザによる選択及び／又は混合のための照明プリセットとしての多くの照明設定を保存することができる。各照明設定は、照明強度，照明色情報，ビーム角，ビーム幅等の、特定の模擬照明環境のための情報を含む。照明設定は、１つ又は多数のランプのための情報を含むことができる。複数の照明設定を、調整された照明設定を生成するために、組み合わせ及び混合することができる。図２Ａ−図２Ｄは、それぞれリニアスライダ，半径円スライダ，拡張円形スライダ，境界円形スライダの照明混合ユーザインターフェースの例を示す。一実施形態では、照明混合ユーザインターフェースは、タッチセンサー式ユーザインターフェースとして、ランプシステムに接続されたディスプレイミラーで実現される。一実施形態では、照明混合ユーザインターフェースは、照明状態レコーダのディスプレイ及びユーザ入力装置で実現される。一実施形態では、照明混合ユーザインターフェースは、照明シミュレータのユーザインターフェースで実現される。一実施形態では、照明混合ユーザインターフェースは、機械式装置として実現される。他の実施形態では、照明混合ユーザインターフェースは、ソフトウェアで実現され、マウス，ジョイスティック，タッチスクリーン等を介したユーザ入力により、ディスプレイに表示される。
【００２７】
図２Ａは、プリセットＡとプリセットＢでラベル付けされた２つの照明設定間の調節された照明設定を提供するためのリニアスライダを示す。スライダ２０２は、プリセットＡとプリセットＢとの間のスライダ経路としてのリニア経路２０４を進む。スライダ２０２がいずれかのプリセットに近づくほど、近いほうの照明設定の特徴が、調節された照明設定に反映される。一実施形態では、調節された照明設定は、スライダの位置に基づく２つの照明設定間の線形補間である。
【００２８】
一例では、ランプシステムに対する第１の照明設定は、第１のランプにとって６０の強度、第２のランプにとって４０の強度を含む。ランプシステムに対する第２の照明設定は、第１のランプにとって１００の強度、第２のランプにとって２０の強度を含む。スライダが第１及び第２の照明設定から等距離にあるとき、ランプシステムに対する調節された照明設定は、第１のランプにとって８０の強度、第２のランプにとって３０の強度に平均化される。スライダが第１の照明設定から１／４の範囲且つ第２の照明設定から３／４の範囲にあるとき、調節された照明設定は、第１のランプにとって７０の強度、第２のランプにとって３５の強度である。
【００２９】
特定の色照明設定を示す一組の数値、例えば（６０，２０，２４０）で表される色値（color value）を、調節された照明設定が異なる色照明設定から作り出されるのと同様に扱うことができることを当業者は理解するであろう。例えば、第１の色照明設定（６０，２０，２４０）と第２の色照明設定（３０，１０，１２０）との間の中間のスライダ設定が、調節された照明設定（４５，１５，１８０）となる。
【００３０】
図２Ｂは、円２０８の円周のＡ，Ｂ，Ｃ及びＤでラベル付けされた多数の照明設定間の調節された照明設定を提供するための半径円スライダを示す。スライダ２０２は、円２０８の円周のスライダ経路としての半径経路２０６を進む。調節された照明設定は、スライダ２０２が間にある２つの隣接する照明設定の作用である。スライダがあるプリセットに近いほど、近い方の照明設定の特徴が、調節された照明設定に反映される。一実施形態では、調節された照明設定は、スライダの位置に基づく２つの隣接する照明設定間の線形補間である。
【００３１】
図２Ｃは、円２０８の円周のＡ，Ｂ，Ｃ及びＤでラベル付けされた多数の照明設定間の調節された照明設定を提供するための拡張円形スライダである。スライダ２０２は、円２０８の中心で０にラベル付けされた端部と円２０８の外側の最大端部との間の回転可能な経路２１０を進む。回転可能な経路２１０は、０にラベル付けされた円２０８の中心回りにユーザによって回転させられる。０にラベル付けされた端部と最大端部に対する１つのスライダ経路としての回転可能な経路２１０におけるスライダの位置は、調節された照明設定の一部を調節する。隣接する照明設定に対する別のスライダ経路としての回転可能な経路２１０と円２０８の円周との交点２１２は、調節された照明設定の別の部分を調節する。すなわち、１つの経路は調節された照明設定を作り出し、別の経路は調節された照明設定を修正する。例えば、回転可能な経路２１０のスライダ２０２の位置は、調節された照明設定の強度を調節することができ、回転可能な経路２１０と円２０８の円周との交点は、調節された照明設定の照明色情報を調節することができる。一実施形態では、回転可能な経路２１０と円２０８の円周との交点により作用を及ぼされる調節された照明設定の部分は、交点の位置に基づいた隣接する２つの照明設定間の線形補間である。
【００３２】
図２Ｄは、円２０８の円周のＡ，Ｂ，Ｃ及びＤでラベル付けされた多数の照明設定間の調節された照明設定を提供するための境界円形スライダである。スライダ２０２は、円２０８の内部を自由に動き、円内部がスライダ経路である。調節された照明設定は、各照明設定からのスライダ２０２の距離の作用である。一例の距離が、ｘ１，ｘ２，ｘ３及びｘ４にラベル付けされている。スライダ２０２がある照明設定に近いほど、近い照明設定の特徴が、調節された照明設定に反映される。一実施形態では、スライダ２０２と各照明設定との間の距離をスライダ２０２と各照明設定との間の距離の和で除した値が、調節された照明設定への各照明設定の比例する寄与である。
【００３３】
照明混合ユーザインターフェースに現われる多くの照明設定を要望どおりにユーザが選択できることを、当業者は理解するであろう。また、照明混合ユーザインターフェースに現われる特定の照明設定を、ユーザが照明シミュレータに保存された照明設定から選択することができる。また、照明設定は、種々の照明設定に相応しい重みを変更するため、隣接する照明設定間とは別の距離で取り決めることもできる。
【００３４】
図１を参照すると、ランプシステム１０８は、ランプ制御信号１１４に応答し且つ模擬照明環境１１０を生成する１つ又は多くのランプ１６０を含む。ランプシステム１０８は、模擬照明環境１１０として提供される光の強度，色，色温度，方向及び／又はビーム幅を変更することができる。ランプシステム１０８のランプ１６０は、単一色又は混合色の白熱灯，蛍光灯，発光ダイオード（ＬＥＤ）等の単一型又は混合型のものであってよい。ランプシステム１０８は、所望の強度，色，色温度，方向及び／又はビーム幅の模擬照明環境１１０を生成する。
【００３５】
一実施形態では、ランプシステム１０８は、ディスプレイミラーに接続又は含まれている。また、ディスプレイミラーは、照明シミュレータ１０６を含んでいてもよい。ディスプレイミラーの一例は、ＷＩＰＯ特許国際公開第０３／０７９３１８号（ホルステン等、発明の名称「ビルトインディスプレイを有するミラー」）に記載されており、参照によりここに組み込む。ディスプレイミラーは、典型的には、ミラー後部に、液晶ディスプレイ（ＬＣＤ），有機発光ダイオード（ＯＬＥＤ）ディスプレイ，プラズマディスプレイ等のディスプレイを含む。ディスプレイは、ディスプレイが明るくされたとき、ミラーを通してのみ視認される。一実施形態では、ディスプレイミラーは、ユーザが照明設定の中で選択することでランプシステム１０８を調節可能とするように、タッチセンサー式のユーザインターフェースを含む。一例では、ユーザは、ユーザのオフィス又は気に入ったディスコ用の保存された照明設定を選択可能である。他の例では、ユーザは、図２Ａ−図２Ｄについて上述したように、照明設定を選択し、調節された照明設定を作り出すことができる。一実施形態では、ランプ１６０は、ディスプレイを照らすディスプレイミラーの一部であってもよい。他の実施形態では、ランプ１６０は、ディスプレイミラーの周りに取り付けられていてもよく、又はディスプレイミラーの領域に取り付けられていてもよく、この領域及びユーザを照明する。
【００３６】
図３は、本発明により構成された照明状態レコーダを採用した照明制御方法のフローチャートである。ユーザは、照明環境を記録し（３０２）、記録された照明環境に対応する照明設定を取得し（３０４）、照明設定に応答して模擬照明環境を生成する（３０６）。ユーザは、ユーザの好みのために選択的に照明設定を調節することができる。
【００３７】
一実施形態では、照明環境を記録する工程（３０２）は、写真を撮影する工程を含む。そして、写真を分析して、記録された照明環境に対応する照明設定を取得することができる。一実施形態では、写真を撮影することに応答して、写真を照明設定に関連付けることができる。他の実施形態では、照明環境を記録する工程（３０２）は、照明強度及び照明色情報からなるグループから選択された照明パラメータを記録する工程を含む。
【００３８】
一実施形態では、記録された照明環境に対応する照明設定を取得する工程（３０４）は、照明環境を作り出す照明システムから照明設定をアップロードする工程を含む。他の実施形態では、記録された照明環境に対応する照明設定を取得する工程（３０４）は、照明設定記憶装置から照明設定をアップロードする工程を含む。また、照明設定と関連したシンボルをアップロードし、照明環境を記録することが可能である。
【００３９】
一実施形態では、ユーザは、照明設定を保存し、保存した照明設定にシンボルを関連付けることができる。シンボルは、写真，グラフィックイメージ，図面，アイコン，タイトル，これらの組み合わせ等とすることができる。１つの照明設定を、写真，グラフィックイメージ及びアイコンのような１つ以上のシンボルにより表してもよい。
【００４０】
図１と同様の要素が同様の参照符号に割り当てられた図４は、本発明により構成された他の照明状態記録システムのブロックダイヤグラムである。この実施形態では、照明状態記録システム４００により、ユーザは、照明システム１８２により作り出された照明環境１０２を記録し、照明環境１１０を生成することができる。照明システム１８２は、要望があれば、照明コントローラ及びランプを組み込むことができる。照明状態記録システム４００は、照明環境１０２に応答し且つ環境信号１１２を生成する照明状態レコーダ１０４と、環境信号１１２に応答し且つランプ制御信号１１４を生成する照明コントローラ１８０と、ランプ制御信号１１４に応答し且つ照明環境１１０を生成するランプシステム１０８とを含む。１つ又は多くの照明設定を、照明状態レコーダ１０４に保存することができる。照明状態レコーダ１０４は、典型的には、写真撮影に適した光学装置及び回路を備えた携帯電話又は個人用デジタル補助端末（ＰＤＡ）のような携帯装置である。照明環境１１０は、実質的に照明環境１０２と等しく、すなわち、標準的な観察者が見たときおおよそ同じ色，明度及び彩度を有する。
【００４１】
照明環境１０２と関連する照明設定は、照明状態レコーダ１０４と照明環境１０２を生成する照明システム１８２との間の相互作用に応じて、種々の方法で、照明状態レコーダ１０４により取得することができる。そして、照明設定は、照明環境１１０を生成するために、照明コントローラ１８０及びランプシステム１０８で使用することができる。
【００４２】
一実施形態では、照明状態レコーダ１０４は、照明環境１０２を生成する照明システム１８２を制御し、かくして、照明環境１０２を制御する。照明状態レコーダ１０４が制御するので、照明状態レコーダ１０４は、写真を撮影したとき、照明環境１０２を生成する際に照明状態レコーダ１０４により使用された照明設定を保存することができる。
【００４３】
他の実施形態では、照明状態レコーダ１０４は、照明環境１０２を生成する照明システム１８２と通信するが、照明環境１０２の制御をしてもしなくてもよい。照明環境１０２の写真を撮影するとき、照明状態レコーダ１０４は、照明システム１８２から照明状態レコーダ１０４に照明設定をアップロードすることにより、照明環境１０２を生成するときに照明システム１８２により使用された照明設定を保存することができる。
【００４４】
他の実施形態では、照明状態レコーダ１０４は、照明環境１０２を生成する照明システム１８２と通信してもしなくてもよい。照明状態レコーダ１０４は、照明環境１０２の写真を撮影し且つこの写真を分析して照明設定を生成することにより、照明環境１０２を生成するときに使用される照明設定を保存することができる。この写真は、色，明度及び彩度を分析することができる。ｓＲＧＢのような写真の色空間は、特定の適用への要望に応じて、ｘ，ｙ，Ｙのような照明色空間や、照明システム１０８の特定のランプの色空間に変換される。また、分析は、要望に応じてガンマ補正，輝度補正等の最適化アルゴリズムを適用することができる。分析の一例が、ＷＩＰＯの特許国際公開第２００４／００６５７０号（Diederiks等、発明の名称「環境照明及び照明ユニットを制御するための方法及びシステム」）に記載されており、参照によりここに組み込む。
【００４５】
照明設定が携帯電話やＰＤＡ等の照明状態レコーダ１０４に一旦保存されると、照明状態レコーダ１０４は、任意の照明システムで使用することができ、照明環境１０２と実質的に等しい照明環境、すなわち通常の観察者が見たときにおおよそ同じ色，明度及び彩度を有する照明環境を生成する。したがって、照明環境１０２の照明雰囲気を、別の場所に容易に運ぶことができる。
【００４６】
図５は、本発明により構成された照明状態レコーダを採用した他の照明制御方法のフローチャートである。照明状態レコーダを準備し（５０２）、照明環境に対応する照明設定を照明状態レコーダに保存する（５０４）。第２の照明環境を、照明設定に応答して生成する（５０６）。一実施形態では、第２の照明環境は、この照明環境と実質的に等しく、すなわち通常の観察者が両照明環境について同じ色，明度及び彩度を感じる。
【００４７】
一実施形態では、照明状態レコーダは照明環境を制御し、照明設定を保存する工程（５０４）は、照明環境を制御するときに照明状態レコーダにより使用された照明設定を保存する工程を含む。他の実施形態では、照明設定を保存する工程（５０４）は、照明環境を生成する照明システムからの照明設定を保存する工程を含む。他の実施形態では、方法は、さらに照明状態レコーダで照明環境の写真を撮影する工程、及び、照明状態レコーダで写真を分析して照明設定を生成する工程を含む。
【００４８】
ここに開示された本発明の実施形態は現在好ましいと考えられるが、種々の変形及び改変を本発明の精神及び範囲から逸脱することなく行うことが可能である。本発明の範囲は、付属の特許請求の範囲に示され、均等の意義及び範囲内のすべての変形がここに包含される。
【図面の簡単な説明】
【００４９】
【図１】本発明により製造された照明状態記録システムのブロックダイヤグラムである。
【図２Ａ】本発明により構成された照明状態記録システムのための照明混合ユーザインターフェースの概略ダイヤグラムである。
【図２Ｂ】本発明により構成された照明状態記録システムのための照明混合ユーザインターフェースの概略ダイヤグラムである。
【図２Ｃ】本発明により構成された照明状態記録システムのための照明混合ユーザインターフェースの概略ダイヤグラムである。
【図２Ｄ】本発明により構成された照明状態記録システムのための照明混合ユーザインターフェースの概略ダイヤグラムである。
【図３】本発明により構成された照明状態レコーダを採用した照明制御方法のフローチャートである。
【図４】本発明により構成された他の照明状態記録システムのブロックダイヤグラムである。
【図５】本発明により構成された照明状態レコーダを採用した他の照明制御方法のフローチャートである。
【符号の説明】
【００５０】
１００  照明状態記録システム
１０２  照明環境
１０４  照明状態レコーダ
１０６  照明シミュレータ
１０８  ランプシステム
１１０  模擬照明環境
１１２  環境信号
１１４  ランプ制御信号
１２０  環境インターフェース
１２２  レコーダインターフェース
１２４  レコーダプロセッサ
１２６  レコーダ記憶装置
１２８  ディスプレイ
１３０  ユーザ入力装置
１３２  通信インターフェース
１３４  シンボル
１４０  シミュレータインターフェース
１４２  シミュレータプロセッサ
１４４  シミュレータ記憶装置
１４６  ユーザインターフェース
１６０  ランプ
１８０  照明コントローラ
１８２  照明システム
２０２  スライダ
２０４  リニア経路
２０６  半径経路
２０８  円
２１０  経路
２１２  交点
４００  照明状態記録システム
【図１】
2008535155.tif 000003
【図２Ａ】
2008535155.tif 000004
【図２Ｂ】
2008535155.tif 000005
【図２Ｃ】
2008535155.tif 000006
【図２Ｄ】
2008535155.tif 000007
【図３】
2008535155.tif 000008
【図４】
2008535155.tif 000009
【図５】
2008535155.tif 000010
【国際調査報告】
2008535155.tif 000011
2008535155.tif 000012
2008535155.tif 000013
2008535155.tif 000014
2008535155.tif 000015